(57)【要約】【課題】ＶｏＬＴＥ対応セルとＶｏＬＴＥ非対応セルとが互いに隣接して混在している場合に、ＶｏＬＴＥの音声通信における呼損率の増加を抑制することができる通信端末装置を提供する。【解決手段】ＶｏＬＴＥの音声通信サービスに対応するＶｏＬＴＥ対応セルに在圏して音声通信状態になった後、通信端末装置がＶｏＬＴＥ対応セルからＶｏＬＴＥの音声通信サービスに対応しないＶｏＬＴＥ非対応セルに移動したか否かを判定し、通信端末装置がＶｏＬＴＥ対応セルからＶｏＬＴＥ非対応セルに移動したとき前記音声通信状態を継続する。【選択図】図４
2018056671.tif 000002
【特許請求の範囲】
【請求項１】
パケットデータ網を有する移動体通信網を介して音声通信可能な通信端末装置であって、
ＬＴＥ（Ｌｏｎｇ  Ｔｅｒｍ  Ｅｖｏｌｕｔｉｏｎ）の標準規格に準拠したＶｏＬＴＥの音声通信サービスに対応するＶｏＬＴＥ対応セルに在圏して音声通信状態になった後、当該通信端末装置が前記ＶｏＬＴＥ対応セルからＶｏＬＴＥの音声通信サービスに対応しないＶｏＬＴＥ非対応セルに移動したか否かを判定する手段と、
当該通信端末装置が前記ＶｏＬＴＥ対応セルから前記ＶｏＬＴＥ非対応セルに移動したとき前記音声通信状態を継続する手段と、を備えることを特徴とする通信端末装置。
【請求項２】
請求項１の通信端末装置において、
当該通信端末装置が前記ＶｏＬＴＥ非対応セルからＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）に対応するＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）のセルに移動したか否かを判定する手段と、
当該通信端末装置が前記ＶｏＬＴＥ非対応セルから前記ＷＣＤＭＡのセルに移動したとき前記ＶｏＬＴＥ非対応セルで継続していた又は呼確立した通話中の音声通信状態から前記ＳＲＶＣＣをトリガーしてＷＣＤＭＡの通話中の状態に切り替える手段と、を備える通信端末装置。
【請求項３】
請求項１又は２の通信端末装置において、
当該通信端末装置が前記ＶｏＬＴＥ対応セルから前記ＶｏＬＴＥ非対応セルに移動したか否かは、当該通信端末装置の位置登録時の前記移動体通信網側からの応答に基づいて判定することを特徴とする通信端末装置。
【請求項４】
請求項１乃至３のいずれかの通信端末装置において、
前記音声通信状態は、音声通信の発信中、着信中又は通話中の状態であることを特徴とする通信端末装置。
【発明の詳細な説明】
【技術分野】
【０００１】
本発明は、通信端末装置に関するものである。
【背景技術】
【０００２】
従来、移動体通信網のパケットデータ網を介した音声通信機能を有する通信端末装置が知られている（例えば非特許文献１参照）。パケットデータ網を介した音声通信は、ＬＴＥ（ロング・ターム・エボルーション）標準に準拠した通信技術を利用して音声通信サービスが提供されるため、ＶｏＬＴＥ（ボイス・オーバー・ＬＴＥ）とも呼ばれている。
【発明の概要】
【発明が解決しようとする課題】
【０００３】
上記ＬＴＥ標準に準拠したＬＴＥセルには、ＶｏＬＴＥの音声通信サービスに対応しているセル（以下「ＶｏＬＴＥ対応セル）と、バックボーン回線の特性上の理由等によりＶｏＬＴＥの音声通信サービスに対応していないセル（以下「ＶｏＬＴＥ非対応セル）とがあり、これらのＶｏＬＴＥ対応セルとＶｏＬＴＥ非対応セルとが互いに隣接して混在している場合がある。このような場合に、ＶｏＬＴＥ対応セルに在圏している音声通信の発信中、着信中又は通話中の通信端末装置が、ＶｏＬＴＥ対応セルからＶｏＬＴＥ非対応セルにエリア移動すると、通信が切断されてしまって呼損が発生し、ＶｏＬＴＥの音声通信における呼損率が増加するという課題がある。
【０００４】
本発明は以上の問題点に鑑みなされたものであり、その目的は、ＶｏＬＴＥ対応セルとＶｏＬＴＥ非対応セルとが互いに隣接して混在している場合に、ＶｏＬＴＥの音声通信における呼損率の増加を抑制することができる通信端末装置を提供することである。
【課題を解決するための手段】
【０００５】
本発明の一態様に係る通信端末装置は、パケットデータ網を有する移動体通信網を介して音声通信可能な通信端末装置であって、ＬＴＥ（Ｌｏｎｇ  Ｔｅｒｍ  Ｅｖｏｌｕｔｉｏｎ）標準に準拠したＶｏＬＴＥの音声通信サービスに対応するＶｏＬＴＥ対応セルに在圏して音声通信状態になった後、当該通信端末装置が前記ＶｏＬＴＥ対応セルからＶｏＬＴＥ音声通信サービスに対応しないＶｏＬＴＥ非対応セルに移動したか否かを判定する手段と、当該通信端末装置が前記ＶｏＬＴＥ対応セルから前記ＶｏＬＴＥ非対応セルに移動したとき前記音声通信状態を継続する手段と、を備える。
前記通信端末装置において、当該通信端末装置が前記ＶｏＬＴＥ非対応セルからＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）に対応するＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）のセルに移動したか否かを判定する手段と、当該通信端末装置が前記ＶｏＬＴＥ非対応セルから前記ＷＣＤＭＡのセルに移動したとき、前記ＶｏＬＴＥ非対応セルで継続していた又は呼確立した通話中の音声通信状態から前記ＳＲＶＣＣをトリガーしてＷＣＤＭＡの通話中の音声通信状態に切り替える手段と、を備えもよい。
また、前記通信端末装置において、当該通信端末装置が前記ＶｏＬＴＥ対応セルから前記ＶｏＬＴＥ非対応セルに移動したか否かは、当該通信端末装置の位置登録時の前記移動体通信網側からの応答に基づいて判定してもよい。
また、前記通信端末装置において、前記音声通信状態は、音声通信の発信中、着信中又は通話中の状態であってもよい。
【発明の効果】
【０００６】
本発明によれば、ＶｏＬＴＥ対応セルとＶｏＬＴＥ非対応セルとが互いに隣接して混在している場合に、ＶｏＬＴＥの音声通信における呼損率の増加を抑制することができる。
【図面の簡単な説明】
【０００７】
【図１】本発明の実施形態に係る通信端末装置によって通信可能な通信システム全体の概略構成の一例を示す説明図。
【図２】本実施形態に係る通信端末装置の概略構成の一例を示すブロック図。
【図３】本実施形態の通信端末装置に装着されているＵＩＣＣの主要構成の一例を示すブロック図。
【図４】本実施形態に係る通信端末装置が、ＶｏＬＴＥで発信中、着信中又は通話中に、ＶｏＬＴＥ対応セルからＶｏＬＴＥ非対応セルに移動し、さらにＷＣＤＭＡセルに移動する場合の説明図。
【図５】ＶｏＬＴＥで発信中、着信中又は通話中の通信端末装置が、ＶｏＬＴＥ対応セルからＶｏＬＴＥ非対応セルに移動する際の通信端末装置内の制御を示すフローチャート。
【発明を実施するための形態】
【０００８】
以下、図面を参照して本発明の実施の形態について説明する。
図１は本発明の実施形態に係る通信端末装置によって通話（音声通信）や各種メッセージのメール送受信が可能な通信システム全体の概略構成の一例を示す説明図である。本実施形態の通信システムでは、複数の通信端末装置１０から電話サービスやメール送受信等のメール通信サービスを利用することができる。
【０００９】
本実施形態の通信端末装置１０は、ＬＴＥの標準規格に準拠した移動体通信網上でパケットデータ網を介した音声通信であるＶｏＬＴＥに対応した通信端末装置であり、ユーザ装置（ＵＥ）とも呼ばれる。また、本実施形態の通信端末装置１０は、３Ｇの移動体通信網上で回線交換網を介した通話機能も有し、ＶｏＬＴＥに対応していない通信端末装置との間では回線交換網を介して通話を行うことができる。
【００１０】
移動体通信網２０は、基地局や無線ネットワーク制御装置等を含む無線アクセスネットワーク（ＲＡＮ）２１０と、Ｗ−ＣＤＭＡ（広帯域符号分割多重アクセス）等の３Ｇ（第３世代）無線通信方式に対応したコアネットワーク２２０と、ＬＴＥの標準規格に準拠した無線通信方式（以下「ＬＴＥ無線通信方式」という。）に対応したコアネットワーク（ＥＰＣ：エボルブド・パケット・コア）２４０とを備えている。更に、移動体通信網２０は、ＰＤＮ（パケットデータ網）として、移動体通信網２０内に構築された専用パケットデータ網２３０とＩＭＳ網２５０とを備えている。
【００１１】
また、移動体通信網２０は、各利用者による通信サービスの利用を管理する通信サービス利用管理装置としてのＲＡＤＩＵＳ（リモート認証ダイヤルイン・ユーザー・サービス）サーバを備えている。ＲＡＤＩＵＳサーバは、通信端末装置１０を用いた通信サービスの利用者を識別する認証処理、認証済みの利用者に対して通信サービスを提供するか否かを判断する処理、実際の通信サービスの利用情報を記録するアカウンティング等を行う。
【００１２】
無線アクセスネットワーク２１０は、Ｗ−ＣＤＭＡ等の３Ｇ無線通信方式の基地局（ＮｏｄｅＢ）２１１と、ＬＴＥ無線通信方式の基地局（ｅＮｏｄｅＢ）２１２とを備えている。各基地局２１１、２１２はそれぞれ、管轄対象のセルごとに設けられ、移動体通信網２０内の有線回線からのデータを無線インタフェースに合うデータフォーマットに変換し、管轄対象のセル内に在圏している通信端末装置１０に所定の無線周波数で送信する。逆に無線周波数で送信される通信端末装置１０からのデータを受信して有線インタフェースに合うデータフォーマットに変換し、移動体通信網２０内の有線回線部分に転送する。
【００１３】
３Ｇのコアネットワーク２２０は、回線交換網、パケット交換網、位置登録管理装置としてのＨＬＲ（ホーム・ロケーション・レジスタ）２２１、認証センター等を備え、各通信端末装置１０間の通信等を中継するように通信制御を行う。更に、コアネットワーク２２０は、各通信端末装置１０と、移動体通信網２０内の構成要素との間における通信を中継するように通信制御を行う。また、コアネットワーク２２０は、各通信端末装置１０と他の通信網との間における通信を中継するように通信制御を行う。
【００１４】
また、３Ｇのコアネットワーク２２０に含まれるパケット交換網は、ＳＧＳＮ（サービング・ＧＰＲＳ・サポート・ノード）２２２やＧＧＳＮ（ゲートウェイ・ＧＰＲＳ・サポート・ノード）２２３等のノードを有している。ＳＧＳＮ２２２は、基地局２１１が接続されているＲＮＣ（無線ネットワーク制御装置）２１５とコアネットワーク２２０側のパケット交換網との間のゲートウェイ機能と、各通信端末装置１０の位置管理、セキュリティ管理及びアクセス制御を行う機能とを有している。また、ＧＧＳＮ２２３は、コアネットワーク２２０側のパケット交換網と専用パケットデータ網２３０との間のゲートウェイ機能を有している。
【００１５】
また、３Ｇのコアネットワーク２２０に含まれる回線交換網は、ＭＳＣ（モバイル交換機）２２４と、ＧＭＳＣ（ゲートウェイＭＳＣ）２２５等のノードを有している。交換機２２４は、通信端末装置１０が在圏するセルで通信端末装置１０の位置情報を登録し管理するＶＬＲ（在圏・ロケーション・レジスタ）の機能と、呼制御機能とサービス制御機能との間で行なわれるインタラクションのための一連のプロセスを実行するＳＳＦ（サービス交換機能）の機能も有している。また、外部の回線交換電話網６０との間の音声通信などは関門交換機２２５を介して行うことができる。
【００１６】
専用パケットデータ網２３０は、プロキシ（Ｐｒｏｘｙ）サーバ２３１、ゲートウェイ（ＧＷ）サーバ２３２、ＷＥＢサーバ２３３、加入者情報データベース等を備えている。プロキシサーバ２３１は、通信端末装置１０と、専用パケットデータ網２３０内に設けられたＷＥＢサーバ２３３等の各種サーバ及びインターネット７０上のＷＥＢサーバやダウンロードサーバ等の各種サーバ７１との間の通信を中継する処理を行う。また、プロキシサーバ２３１は、３Ｇコアネットワーク２２０における通信プロトコルと専用パケットデータ網２３０やインターネット７０における通信プロトコルが異なる場合に、両通信プロトコルを合わせるためのプロトコル変換機能も有している。ゲートウェイサーバ２３２は、移動体通信網２０内の専用パケットデータ網２３０とインターネット７０との間のゲートウェイ機能とファイヤウォール機能とを有している。
【００１７】
ＬＴＥのコアネットワーク（ＥＰＣ）２４０は、ＨＳＳ（ホーム加入者サーバ）２４１と、ＭＭＥ（モビリティ・管理・エンティティ）２４２と、ＳＧＷ（サービング・ゲートウェイ）２４３と、ＰＧＷ（パケットデータ網・ゲートウェイ）２４４と、ポリシー課金制御装置であるＰＣＲＦ（ポリシー課金ルール機能）２４５とを備えている。ＨＳＳ２４１は、加入者情報の管理やサービス制御などを行うサーバである。ＭＭＥ２４２は、基地局（ｅＮｏｄｅＢ）２１２を収容し、モビリティ制御などを提供する論理ノードである。また、ＳＧＷ２４３は、ＭＭＥ２４２とＰＧＷ２４４との間でユーザデータを中継したり３Ｇのコアネットワーク２２０側にユーザデータを転送したりする在圏パケットゲートウェイ（在圏パケット交換機）である。また、ＰＧＷ２４４は、ＩＭＳ網２５０やインターネット７０との接続点に設置され、ＩＰアドレスの割当てやＳＧＷ２４３へのパケット転送などを行うゲートウェイである。また、ＰＣＲＦ２４５は、ユーザデータ転送のＱｏＳ（通信サービス品質）及び課金のための制御を行う論理ノードである。
【００１８】
ＩＭＳ網２５０は、音声セッション制御を行うことができるパケットデータ網であり、Ｐ−ＣＳＣＦ（プロキシ−呼／セッション・制御機能）２５１と、Ｓ−ＣＳＣＦ（サービング−呼／セッション・制御機能）２５２と、Ｉ−ＣＳＣＦ（問い合わせ・呼／セッション・制御機能）２５３と、ＡＳ（アプリケーション・サーバ）２５４と、ＸＤＭ（ＸＭＬドキュメント管理）サーバ２５６とを備える。Ｐ−ＣＳＣＦ２５１は、コアネットワーク（ＥＰＣ）２４０との接続点に設置されるＳＩＰ中継サーバであり、ＳＩＰ信号の転送だけでなく、コアネットワーク（ＥＰＣ）２４０と連携してＱｏＳ制御を起動させる機能を有している。また、Ｓ−ＣＳＣＦ２５２は、端末のセッション制御及びユーザ認証を行うＳＩＰサーバである。また、Ｉ−ＣＳＣＦ２５３は、相互接続・ローミングの際、外部の他のＩＭＳ網８０から接続する最初の関門ＳＩＰサーバであり、Ｓ−ＣＳＣＦ２５２を特定する機能と信号を中継する機能を有している。
【００１９】
ＡＳ２５４は、ＩＭＳ等のサービスを提供するためのサーバであり、ユーザのログイン登録により加入者識別情報に基づいて、音声やビデオなどのマルチメディア・アプリケーションを各通信端末装置１０に提供する。また、ＡＳ２５４は、通信端末装置１０からのＩＭＳサービスの登録解除要求や登録要求を受信する手段、登録解除要求に基づき利用者の利用登録を解除する処理を実行する手段、登録要求に基づき利用者の利用登録の処理を実行する手段、これらの処理が完了した旨の情報を含む登録解除完了応答又は登録完了応答を通信端末装置１０に送信する手段等の機能を備えている。
【００２０】
ＸＤＭサーバ２５６は、通信端末装置ごとに又はそのユーザごとに、ＩＭＳで提供される各種サービスで用いられる設定情報をＸＣＡＰ文書（ＸＭＬ文書）として格納して管理するサーバである。例えば、ＸＤＭサーバ２５６は、通信端末装置ごとに又はそのユーザごとに、ＩＭＳで提供されるＶｏＬＴＥサービス及びその付加サービス（例えば、ＶｏＬＴＥの発着信、割り込み着信、着信転送）で用いられる設定情報をＸＣＡＰ文書（ＸＭＬ文書）として格納して管理する。
【００２１】
上記通信システムでは、通信端末装置１０を用いて通信サービスを利用するための複数の識別情報が所定のサーバやデータベースに登録されて管理される。例えば、移動体通信網２０での電話、メッセージ、メール、インターネットアクセス等の通信サービスを利用するための識別情報であるＩＭＳＩ（加入者識別子）、ＭＳＩＳＤＮ（電話番号）、ＩＭＥＩ（インターナショナル・モバイル・イクイップメント・アイデンティファイア：端末識別情報）等が、加入者情報データベースであるＨＬＲ（ホーム・ロケーション・レジスタ）２２１に登録されて管理される。また、移動体通信網２０上に構築されたＩＰネットワークであるＩＭＳ（ＩＰ・マルチメディア・サブシステム）ネットワークにおけるＶｏＬＴＥ等の通信サービスを利用するための識別情報であるＩＭＰＵ、ＩＭＰＩ等が、ＩＭＳの加入者情報管理サーバであるＨＳＳ２４１に登録されて管理される。これらのＨＬＲ２２１及びＨＳＳ２４１は、移動体通信網２０を介して所定の通信プロトコルにより通信端末装置１０と通信できるように構成されている。
【００２２】
ここで、ＩＭＰＵは、ＩＭＳネットワーク内でＳＩＰメッセージ信号を宛先の通信端末装置（ＩＭＳ端末）までルーティングするための一意に識別可能な識別子であり、例えばＭＳＩＳＤＮに基づいて生成することができる（非特許文献２の第１３章参照）。また、ＩＭＰＩは、ＩＭＳの加入契約の識別やＩＭＳへのアクセス時の認証のために使用される一意に識別可能な識別子であり、例えばＩＭＳＩに基づいて生成することができる（非特許文献２の第１３章参照）。
【００２３】
通信端末装置１０は、移動体通信網２０の基地局（ＮｏｄｅＢ）２１１を介してＨＬＲ２２１と通信することができ、基地局（ｅＮｏｄｅＢ）２１２を介してＨＳＳ２４１と通信することができる。この通信端末装置１０には、３Ｇ，４Ｇ，ＬＴＥ（ロング・ターム・エボルーション）等の移動体通信網２０での電話、メッセージ、メール、インターネットアクセス等の通信サービス（以下、「移動体通信サービス」という。）やＩＭＳネットワークにおけるＶｏＬＴＥ等の通信サービス（以下、「ＩＭＳ通信サービス」という。）を利用するためのソフトウェアであるアプリケーションプログラムが組み込まれている。また、通信端末装置１０には、上記ＩＭＳＩ、ＭＳＩＳＤＮ、ＩＭＥＩ、ＩＭＰＵ、ＩＭＰＩ等の複数の識別情報が格納される汎用統合ＩＣカードであるＵＩＣＣ（ユニバーサル・ＩＣカード）１５を備えている。このＵＩＣＣ１５には、上記通信サービスで使用される各種データやカード内で所定の動作や処理を行うための個別プログラムであるアプレットも格納されている。なお、本実施形態の通信端末装置１０は、利用者の作業によってＵＩＣＣを着脱できるように構成されているが、利用者が容易に取り外せないようにＵＩＣＣを内部に組み込むように構成してもよい。
【００２４】
上記アプリケーションプログラム（以下、適宜「アプリケーション」と略す）やアプレットは、通信ネットワーク上のサーバから適宜ダウンロードして通信端末装置１０内に登録することができ、それらの中から利用者が選択して実行することができる。アプリケーションプログラムやアプレットは、通信端末装置１０に構築されたＪＡＶＡ（登録商標）実行環境などのアプリケーション実行環境上で実行される。
【００２５】
図２は、本実施形態の通信端末装置１０のハードウェア構成の一例を示すブロック図である。この通信端末装置１０は、主制御部１１０と無線通信部１１１とベースバンド処理部１１２と音入出力部１１３と表示部１１４と操作手段としての操作部１１５とを備える。また、通信端末装置１０は、装置本体に対して着脱可能なＵＩＣＣ１５が装着されている。ＵＩＣＣ１５は、移動体通信サービスで用いられるＵＳＩＭとしての機能が組み込まれている。
【００２６】
主制御部１１０は、ＭＰＵ（マイクロ・プロセッシング・ユニット）、ＲＡＭ、ＲＯＭ等を備え、所定の基本ＯＳやミドルウェア等のプログラムが実行されることにより、ベースバンド処理部１１２等の各部を制御したり、ソフトウェア構成上のネイティブプラットフォーム環境やアプリケーション実行環境を構築したりする。
【００２７】
主制御部１１０は、他の無線通信部１１１等の各部と連携することにより、次の（１）〜（４）の各手段として機能することができる。
（１）ＶｏＬＴＥ対応セル９０に在圏して音声通信状態になった後、通信端末装置１０がＶｏＬＴＥ対応セル９０からＶｏＬＴＥ非対応セル９１に移動したか否かを判定する手段。
（２）通信端末装置１０がＶｏＬＴＥ対応セル９０からＶｏＬＴＥ非対応セル９１に移動したとき音声通信状態を継続する手段。
（３）通信端末装置１０がＶｏＬＴＥ非対応セル９１からＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）に対応するＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）のセル９２に移動したか否かを判定する手段。
（４）通信端末装置１０がＶｏＬＴＥ非対応セル９１からＷＣＤＭＡのセル９２に移動したときＶｏＬＴＥ非対応セル９１で継続していた通話中の状態からＳＲＶＣＣをトリガーしてＷＣＤＭＡの通話中の状態に切り替える手段。
【００２８】
無線通信部１１１は、移動体通信網２０を介して通信するネットワーク通信手段として機能し、例えばシンセサイザ、周波数変換器、高周波増幅器などにより構成され、移動体通信網２０の基地局（ＮｏｄｅＢ）２１１及び基地局（ｅＮｏｄｅＢ）２１２との間で無線通信するための高周波信号処理を実行する。
【００２９】
ベースバンド処理部１１２は、他の携帯電話機等の通信端末装置や各種サーバとの間で音声通信やデータ送受信の通信を行うためのデジタル処理を実行する。このベースバンド処理部１１２と上記無線通信部１１１との間はＤ／Ａ変換器やＡ／Ｄ変換器を介して接続されている。
【００３０】
音入出力部１１３は、マイク、スピーカ、音信号処理部等で構成されている。マイクから出力されるアナログの音声信号は、音信号処理部でデジタル信号に変換され、主制御部１１０やベースバンド処理部１１２等に送られる。スピーカは、音信号処理部でデジタル信号から変換されたアナログ信号が入力され、通話中の音声を出力したり、メールの着信音、電話の呼び出し音、音楽などを出力したりする。なお、スピーカは、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００３１】
表示部１１４は、ＬＣＤ（液晶ディスプレイ）等で構成され、主制御部１１０からの指令に基づいて各種画像を表示する。操作部１１５は、表示部１１４に組み込まれたタッチパネルや、各種の操作キーやボタン、電源ＯＮ／ＯＦＦ手段としての電源スイッチなどで構成されている。この操作部１１５は、利用者が、通信端末装置１０の本体電源をＯＮ／ＯＦＦしたり、通話開始、終話、メニュー選択、画面切り換え等を指示したり、情報を入力したりするときに用いられる。
【００３２】
また、通信端末装置１０は、位置情報取得手段としてのＧＰＳ（グローバル・ポジショニング・システム）部１１７、撮像手段としてのカメラ部１１８、センサー部１１９、電源供給手段としての電源供給部１２０、図示しない時計部等も備えている。
【００３３】
ＧＰＳ部１１７は、ＧＰＳ受信モジュールやＧＰＳアンテナ等で構成され、地球の周りに配置されている複数のＧＰＳ衛星から電波を受信し、その受信結果に基づいて通信端末装置１０が位置する緯度、経度及び高度のデータを算出する。カメラ部１１８は、レンズや撮像デバイス等で構成され、人物や風景等を撮影する時に用いられる。撮像デバイスとしては、ＣＣＤ（Charge Coupled Device）カメラやＣＭＯＳカメラを用いることができる。センサー部１１９は、加速度センサー及び／又は地磁気センサー等で構成されている。加速度センサーは、１軸の加速度センサーであっていいし、２軸や３軸等の複数軸の加速度センサーであってもよい。また、地磁気センサーも、１軸の地磁気センサーであっていいし、２軸や３軸等の複数軸の地磁気センサーであってもよい。このセンサー部１１９の出力に基づいて、通信端末装置１０の位置、向き、姿勢及び動きを示すデータを算出することができる。また、センサー部１１９の出力に基づいて、所定高度における基準位置から利用者の通信端末装置１０が移動したときの加速度データや地磁気データの時間変化の情報である履歴情報から、通信端末装置１０が位置している高度、角度等を示すデータを算出することができる。
【００３４】
電源供給部１２０は、充電可能なバッテリー、バッテリーから各部に所定電圧の電力を供給する電力供給回路、バッテリーを充電する充電回路などを備えている。また、電源供給部１２０は、通信端末装置１０における主要部すなわち音入出力部１１３、表示部１１４、操作部１１５の一部、ＧＰＳ部１１７、カメラ部１１８及びセンサー部１１９への電力供給については、前述の利用者が操作可能な電源スイッチによりＯＮ／ＯＦＦできるように構成されている。なお、電源スイッチのＯＦＦ時に一部の機能を動作させるために、電源供給部１２０は、電源スイッチのＯＦＦ時においても無線通信部１１１、ベースバンド処理部１１２及びＵＩＣＣ１５への電力供給を継続して行うように構成してもよい。
【００３５】
時計部はクロック回路等で構成され、正確な日時を計数し、例えば各種の更新処理等のための時刻情報を生成する。
【００３６】
図３は、本実施形態の通信端末装置１０に装着されているＵＩＣＣ１５の主要構成の一例を示すブロック図である。ＵＩＣＣ１５は、例えばＩＣモジュールで構成され、ＣＰＵなどからなる制御部１５０と、ＲＯＭやＲＡＭなどからなる記憶手段としての記憶部１５１と、通信端末装置本体と通信するためのＩ／Ｏインターフェース部１５２とを備えている。
【００３７】
記憶部１５１は、主に制御部１５０が制御に用いる基本プログラム、アプレット、データ等が格納されたシステム領域１５１ａと、第１の記憶手段としてのＵＳＩＭ領域１５１ｂとを有している。
【００３８】
ＵＳＩＭ領域１５１ｂには、前述のＩＭＳＩ、ＭＳＩＳＤＮ及びＩＭＥＩ等の複数の識別情報や電話・アドレスブック等の、移動体通信サービスのＵＳＩＭ機能を実現するための各種情報やデータが記憶されている。
【００３９】
また、記憶部１５１には、ＩＭＳ通信サービスの利用登録が完了したときに、前述のＨＳＳ２４１等で設定されて払い出されるＩＭＰＵ及びＩＭＰＩ等の複数の識別情報や通信端末装置１０が接続すべきＳＩＰ（セッション・イニシエーション・プロトコル）中継サーバであるＰ−ＣＳＣＦ２５１のアドレス等の、ＩＭＳ通信サービスのＩＳＩＭ機能を実現するための情報やデータ等が一時的に記憶される領域を有する。この領域としては、ＵＳＩＭ領域１５１ｂを兼用してもよい。
【００４０】
また、記憶部１５１のシステム領域１５１ａには、ＵＩＣＣ１５での処理に用いられる比較的小さなサイズのプログラムであるアプレットも記憶されている。例えば、システム領域１５１ａには、ＵＳＩＭ領域１５１ｂに格納された加入者識別情報であるＩＭＳＩ又はＭＳＩＳＤＮに基づいて、ＸＤＭサーバ２５６内の設定情報の書き換えや読み出しに一時的に用いられるテンポラリーＩＭＰＵを生成してＩＳＩＭ領域１５１ｃに格納する処理を行うアプレットが記憶されている。
【００４１】
なお、ＵＩＣＣ１５は、ＵＳＩＭ領域１５１ｂとは別にＩＳＩＭ領域を有してもよい。ＩＳＩＭ領域には、ＩＭＳ通信サービスの利用登録が完了したときに、前述のＩＭＰＵ及びＩＭＰＩ等の複数の識別情報や通信端末装置１０が接続すべきＰ−ＣＳＣＦ２５１のアドレス等の、ＩＭＳ通信サービスのＩＳＩＭ機能を実現するための情報やデータ等が記憶される。また、ＵＳＩＭ及びＩＳＩＭをそれぞれ別々のＩＣカードで構成して通信端末装置１０の本体に対して個別に着脱できるようにしてもよい。
【００４２】
上記構成の通信端末装置１０では、ＩＭＳで提供されるＶｏＬＴＥの通話サービス、及び、着信転送や割り込み着信などのＶｏＬＴＥによる付加サービスを利用することができる。これらのＶｏＬＴＥやその付加サービスの制御は、ＸＤＭサーバ２５６にＸＣＡＰ文書（ＸＭＬ文書）として格納されている設定情報を利用して実現される。また、ＸＤＭサーバ２５６にＸＣＡＰ文書として格納されている設定情報は、通信端末装置１０からＸＤＭサーバ２５６にアクセスし、ＸＣＡＰメッセージを用いて書き換えたり読み出したりすることができる。しかも、その設定情報の書き換え及び読み出しは、通信端末装置ごとに又はそのユーザごとに行うことができる。
【００４３】
図４は、本実施形態に係る通信端末装置１０が、ＶｏＬＴＥで発信中、着信中又は通話中に、ＶｏＬＴＥ対応セル９０からＶｏＬＴＥ非対応セル９１に移動し、さらにＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）に対応するＷＣＤＭＡセル９２に移動する場合の説明図である。なお、本実施形態において、ＶｏＬＴＥ対応セル９０及びＶｏＬＴＥ非対応セル９１は、ａＳＲＶＣＣ（ＳＲＶＣＣ  ｉｎ  ａｌｅｒｔｉｎｇ  ｐｈａｓｅ）及びｂＳＲＶＣＣ（ＳＲＶＣＣ  ｂｅｆｏｒｅ  ａｌｅｒｔｉｎｇ）に対応していなくてもよい。ａＳＲＶＣＣとは、ＶｏＬＴＥ対応セルから、ＶｏＬＴＥ非対応セルにエリアを移動した場合に、アラート中（呼出中）のハンドオーバを可能とする機能である。また、ｂＳＲＶＣＣとは、ＶｏＬＴＥ対応セルから、ＶｏＬＴＥ非対応セルにエリアを移動した場合に、アラート前の呼処理中のハンドオーバを可能とする機能である。
【００４４】
図４において、通信端末装置１０はＶｏＬＴＥ対応セル９０に在圏し、ＶｏＬＴＥで発信中、着信中又は通話中の状態である。
まず、ユーザがＶｏＬＴＥで通話中の通信端末装置１０を持ってＶｏＬＴＥ対応セル９０からＶｏＬＴＥ非対応セル９１に移動した場合、通信端末装置１０が在圏するセルがＶｏＬＴＥ対応セル９０からＶｏＬＴＥ非対応セル９１に移動したものと判定される。従来、ＶｏＬＴＥ対応セル９０からＶｏＬＴＥ非対応セル９１に移動した場合、ＶｏＬＴＥ非対応セル９１のバックボーン回線の特性等により通話中の通信が切断されるため、呼損が発生し、呼損率が高まってしまう。
【００４５】
そこで、本実施形態では、ＶｏＬＴＥで通話中の通信端末装置１０が、ＶｏＬＴＥ対応セル９０からＶｏＬＴＥ非対応セル９１に移動したときに、通話中の通信が切断されず、音声通信状態を継続するように制御する。これにより、呼損の発生を防いで、呼損率の増加を抑制することができる。
【００４６】
さらに、通話中の通信端末装置１０がＶｏＬＴＥ非対応セル９１からＷＣＤＭＡセル９２に移動した場合、通信端末装置１０が在圏するセルがＶｏＬＴＥ非対応セル９１からＷＣＤＭＡセル９２に移動したものと判定される。この場合、ＶｏＬＴＥ非対応セル９１で継続していた通話中の音声通信状態から、ＳＲＶＣＣをトリガーしてＷＣＤＭＡの通話中の音声通信状態に切り替えられる。このように、ＶｏＬＴＥ対応セル９０でＶｏＬＴＥで通話中の通信端末装置１０が、ＶｏＬＴＥ非対応セル９１、ＷＣＤＭＡセル９２に順次移動した場合、通話が途切れることなく通話中の音声通信状態が継続し、呼損の発生を防いで、呼損率の増加を抑制することができる。
【００４７】
次に、ユーザがＶｏＬＴＥで発信中又は着信中の通信端末装置１０を持ってＶｏＬＴＥ対応セル９０からＶｏＬＴＥ非対応セル９１に移動した場合、通信端末装置１０が在圏するセルがＶｏＬＴＥ対応セル９０からＶｏＬＴＥ非対応セル９１に移動したものと判定される。従来、ＶｏＬＴＥ対応セル９０からＶｏＬＴＥ非対応セル９１に移動した場合、ＶｏＬＴＥ非対応セル９１のバックボーン回線の特性等により通信が切断されるため、呼損が発生し、呼損率が高まってしまう。
【００４８】
そこで、本実施形態では、ＶｏＬＴＥで発信中又は着信中の通信端末装置１０が、ＶｏＬＴＥ対応セル９０からＶｏＬＴＥ非対応セル９１に移動したときに、通信が切断されず、音声通信状態を継続するように制御する。これにより、呼損の発生を防いで、呼損率の増加を抑制することができる。
【００４９】
さらに、ユーザがＶｏＬＴＥで発信中又は着信中の通信端末装置１０を持ってＶｏＬＴＥ非対応セル９１に移動して在圏しているときに、そのＶｏＬＴＥ非対応セル９１の在圏中に相手が応答又はユーザ自身が応答すると、音声通信の呼が確立した通話中の音声通信状態になる。この後、ＷＣＤＭＡセル９２に移動した場合、ＶｏＬＴＥ非対応セル９１で呼が確立したＶｏＬＴＥの通話中の音声通信状態から、ＳＲＶＣＣをトリガーしてＷＣＤＭＡの通話中の音声通信状態に切り替えられる。このようにＶｏＬＴＥ対応セル９０とＷＣＤＭＡセル９２との間にＶｏＬＴＥ非対応セル９１が介在することにより、そのＶｏＬＴＥ対応セル９０でＶｏＬＴＥの発信中又は着信中の音声通信状態にあった通信端末装置１０がＶｏＬＴＥ非対応セル９１に移動して在圏しているときに呼が確立して通話中の音声通信状態になる確率が高くなる。従って、ＶｏＬＴＥ対応セル９０からＶｏＬＴＥ非対応セル９１及びＷＣＤＭＡセル９２に順次移動した場合、発信中又は着信中の音声通信状態から切り替わった通話中の音声通信状態が途切れる可能性が低くなり、呼損の発生による呼損率の増加を抑制することができる。
【００５０】
図５は、ＶｏＬＴＥで発信中、着信中又は通話中の通信端末装置１０が、ＶｏＬＴＥ対応セル９０からＶｏＬＴＥ非対応セル９１に移動する際の通信端末装置１０内の制御を示すフローチャートである。なお、図５における通信端末装置１０の制御は、例えば、通信端末装置１０の主制御部１１０に所定のプログラムが読み込まれて実行されることにより実現可能である。
【００５１】
図５において、まず、通信端末装置１０がＶｏＬＴＥで発信中、着信中又は通話中のいずれの状態であるかを判断する（Ｓ１）。通信端末装置１０がＶｏＬＴＥで発信中、着信中又は通話中のいずれの状態でもない場合（Ｓ１でＮｏ）、ＶｏＬＴＥに関する呼処理は実行されずに終了する。一方、通信端末装置１０がＶｏＬＴＥで発信中、着信中又は通話中のいずれかの状態である場合（Ｓ１でＹｅｓ）、ＶｏＬＴＥ非対応セル９１へ移動したか否かを判定する（Ｓ２）。ここで、通信端末装置１０がＶｏＬＴＥ非対応セル９１へ移動したか否かの判定は、位置情報登録時の移動体通信網側からの応答に基づいて判定してもよい。そして、通信端末装置１０がＶｏＬＴＥ非対応セル９１へ移動したと判定された場合（Ｓ２でＹｅｓ）、通信端末装置１０の発信中、着信中又は通話中の状態を継続する（Ｓ３）。一方、通信端末装置１０がＶｏＬＴＥ非対応セル９１へ移動したと判定されない場合（Ｓ２でＮｏ）、引き続きＶｏＬＴＥ対応セル９０に在圏しているものとして、発信中、着信中又は通話中の状態を継続する（Ｓ４）。
【００５２】
以上、本実施形態によれば、ＶｏＬＴＥ音声通信サービスに対応するＶｏＬＴＥ対応セル９０に在圏して音声通信状態になった後、通信端末装置１０がＶｏＬＴＥ対応セル９０からＶｏＬＴＥ非対応セル９１に移動したか否かを判定し、ＶｏＬＴＥ対応セル９０からＶｏＬＴＥ非対応セル９１に移動したとき音声通信状態を継続することにより、ＶｏＬＴＥの音声通信における呼損の発生を抑制することができる。従って、ＶｏＬＴＥ対応セル９０とＶｏＬＴＥ非対応セル９１とが互いに隣接して混在している場合に、ＶｏＬＴＥの音声通信における呼損率の増加を抑制することができる。
【００５３】
特に、本実施形態によれば、通信端末装置１０がＶｏＬＴＥ非対応セル９１からＳＲＶＣＣに対応するＷＣＤＭＡのセル９２に移動したか否かを判定し、通信端末装置１０がＶｏＬＴＥ非対応セル９１からＷＣＤＭＡのセル９２に移動したとき、ＶｏＬＴＥ非対応セル９１で継続していた又は呼確立した通話中の音声通信状態からＳＲＶＣＣをトリガーしてＷＣＤＭＡの通話中の音声通信状態に切り替える。これにより、音声通信を行っているＶｏＬＴＥの発信中、着信中又は通話中の通信端末装置１０がＶｏＬＴＥ対応セル９０からＶｏＬＴＥ非対応セル９１を経由してＷＣＤＭＡのセル９２に移動する場合に、通話中の音声通信状態を維持することができるので、音声通信における呼損の発生を更に抑制することができる。
【００５４】
また、本実施形態によれば、通信端末装置１０がＶｏＬＴＥ対応セル９０からＶｏＬＴＥ非対応セル９１に移動したか否かを、通信端末装置１０の位置登録時の移動体通信網側からの応答に基づいて判定することにより、通信端末装置１０の移動を速やかに判定して音声通信状態をより確実に維持することができる。
【００５５】
また、本実施形態によれば、通信端末装置１０が音声通信の発信中、着信中又は通話中の状態であるときにＶｏＬＴＥ対応セル９０からＶｏＬＴＥ非対応セル９１に移動したときでも、その音声通信の発信中、着信中又は通話中の状態を維持することができる。
【符号の説明】
【００５６】
１０    通信端末装置
２０    移動体通信網
６０    外部の回線交換電話網
７０    インターネット
８０    外部のＩＭＳ網
９０    ＶｏＬＴＥ対応セル
９１    ＶｏＬＴＥ非対応セル
９２    ＷＣＤＭＡセル
２１０    無線アクセスネットワーク
２１１    ３Ｇの基地局（ＮｏｄｅＢ）
２１２    ＬＴＥの基地局（ｅＮｏｄｅＢ）
２２０    ３Ｇのコアネットワーク
２２１    ＨＬＲ（位置登録装置）
２２４    ＭＳＣ（交換機）
２２５    ＧＭＳＣ（関門交換機）
２３０    専用パケットデータ網
２４０    ＬＴＥのコアネットワーク（ＥＰＣ）
２４１    ＨＳＳ（ホーム加入者サーバ）
２４２    ＭＭＥ（モビリティ管理エンティティ）
２４３    ＳＧＷ（サービング・ゲートウェイ）
２４４    ＰＧＷ（パケットデータ網・ゲートウェイ）
２４５    ＰＣＲＦ（ポリシー課金制御装置）
２５０    ＩＭＳ（ＩＰ・マルチメディア・サブシステム）網
２５１    Ｐ−ＣＳＣＦ（プロキシ−呼／セッション・制御機能）
２５２    Ｓ−ＣＳＣＦ（サービング−呼／セッション・制御機能）
２５３    Ｉ−ＣＳＣＦ（問い合わせ・呼／セッション・制御機能）
２５４    ＡＳ（アプリケーション・サーバ）
２５６    ＸＤＭ（ＸＭＬドキュメント管理）サーバ
【先行技術文献】
【非特許文献】
【００５７】
【非特許文献１】GSMA PRD IR.92: "IMS Profile for Voice and SMS", Mar. 2011.
【非特許文献２】3GPP TS 23.003 V12.2.0 (2014-03),"Technical Specification Group Core Network and Terminals; Numbering, addressing and identification(Release 12)".
【図１】
2018056671.tif 000003
【図２】
2018056671.tif 000004
【図３】
2018056671.tif 000005
【図４】
2018056671.tif 000006
【図５】
2018056671.tif 000007